(57)【特許請求の範囲】
【請求項１】
媒体を収納する収納部と、該収納部の出入口に設けられたフィードローラと、該フィードローラと対向する従動ローラと、該従動ローラと前記フィードローラとにより放出された紙葉類を叩き落す舌片を有する舌片ローラと、前記収納部内の媒体を前記フィードローラと前記従動ローラとの間に繰出すピックアップローラとを備えた媒体分離集積機構において、
中央部が回転可能に支持され、一端に前記舌片ローラを取付けたアーム部を設け、
媒体を前記収納部に収納する場合、前記アーム部を回動して前記舌片ローラを上昇させ、媒体を前記収納部から繰出すとき、前記アーム部を回動して繰出される媒体に前記舌片が接触しない位置まで前記舌片ローラを退避させ、
前記ピックアップローラによって繰出した媒体が、複数枚重なり合って搬送異常が発生し、その重なり合った媒体を前記収納部に戻して収納するとき、前記収納部に媒体を１枚収納する毎に、後続の媒体の搬送を停止して前記舌片ローラを前記収納部から一旦退避させてから上昇させ、前記収納部への媒体の搬送を再開するように制御することを特徴とする媒体分離集積機構。
【請求項２】
請求項１に記載の媒体分離集積機構において、
前記収納部の出入口に媒体間の隙間を検知する検知センサを配し、
前記検知センサによる検知結果をもとに、前記収納部への媒体の収納を認識することを特徴とする媒体分離集積機構。
【請求項３】
請求項１に記載の媒体分離集積機構において、
前記ピックアップローラによって繰出した媒体が、複数枚重なり合って搬送異常が発生し、その重なり合った媒体を前記収納部に戻して収納する際の媒体の搬送量を定め、その搬送量だけ媒体を搬送した後、媒体の搬送を停止して前記舌片ローラを前記収納部から一旦退避させてから上昇させる動作を行い、このような動作を複数回繰返しながら、前記収納部への媒体を徐々に搬送していくことを特徴とする媒体分離集積機構。
【発明の詳細な説明】
【技術分野】
【０００１】
本発明は、集積された紙幣等の媒体をローラにより１枚ずつ分離して繰出す媒体分離集積機構に関し、特に媒体の集積不良の発生を防止する。
【背景技術】
【０００２】
従来の媒体分離集積機構としての紙幣分離集積装置は、紙幣収納部内の紙幣を繰出す場合に、舌片ローラを回転させて集積している紙幣上面を叩くことで、密着した紙幣間に間隙を形成する分離準備動作を行っている（例えば、特許文献１参照。）。
そして分離準備動作の後、紙幣分離集積装置はピックアップローラの回転によって紙幣をフィードローラと従動ローラとの間に繰出し、フィードローラの回転によって紙幣を搬送路へと送り出している。
【先行技術文献】
【特許文献】
【０００３】
【特許文献１】特開２００７−１６８９３１号公報（段落「００２１」、図４）
【発明の開示】
【発明が解決しようとする課題】
【０００４】
しかしながら、上述した従来の技術においては、搬送路へと送り出した紙幣が重送や連鎖等の搬送異常の状態である場合は繰出し動作を停止してフィードローラを逆方向に回転させることで、紙幣収納部から繰出した紙幣を戻すようにするが、フィードローラと従動ローラにより紙幣収納部に向かって紙幣を放出したときに、同様にして紙幣収納部に放出された後続の紙幣が先行する紙幣に衝突し、紙幣が折れ曲がった状態で集積されてしまい、再度紙幣の繰出し動作を行うときに繰出し不良を引き起こしてしまう場合があるという問題がある。
本発明は、上記の問題点を解決するための手段を提供することを目的とする。
【課題を解決するための手段】
【０００５】
本発明は、上記課題を解決するために、媒体を収納する収納部と、該収納部の出入口に設けられたフィードローラと、該フィードローラと対向する従動ローラと、該従動ローラと前記フィードローラとにより放出された紙葉類を叩き落す舌片を有する舌片ローラと、前記収納部内の媒体を前記フィードローラと前記従動ローラとの間に繰出すピックアップローラとを備えた媒体分離集積機構において、中央部が回転可能に支持され、一端に前記舌片ローラを取付けたアーム部を設け、媒体を前記収納部に収納する場合、前記アーム部を回動して前記舌片ローラを上昇させ、媒体を前記収納部から繰出すとき、前記アーム部を回動して繰出される媒体に前記舌片が接触しない位置まで前記舌片ローラを退避させ、前記ピックアップローラによって繰出した媒体が、複数枚重なり合って搬送異常が発生し、その重なり合った媒体を前記収納部に戻して収納するとき、前記収納部に媒体を１枚収納する毎に、後続の媒体の搬送を停止して前記舌片ローラを前記収納部から一旦退避させてから上昇させ、前記収納部への媒体の搬送を再開するように制御することを特徴とする。
【発明の効果】
【０００６】
これにより、本発明は、媒体としての紙幣を収納する場合に、紙幣同士の衝突を防いで紙幣が折れ曲がった状態で収納されるのを防止し、収納した紙幣を繰出す際の繰出し不良の発生を防止することができるという効果が得られる。
【図面の簡単な説明】
【０００７】
【図１】実施例１の紙幣分離集積装置を示す側面図
【図２】実施例１の紙幣分離集積装置を示すブロック図
【図３】実施例１の紙幣の繰出しから再集積を行う動作を示す説明図
【図４】実施例２の搬送異常の原因となる紙幣を集積するまでの動作を示す説明図
【発明を実施するための最良の形態】
【０００８】
以下に、図面を参照して本発明による媒体分離集積機構の実施例について説明する。
【実施例１】
【０００９】
図１は実施例１の紙幣分離集積装置を示す側面図である。
図１において、１は媒体分離集積機構としての紙幣分離集積装置である。
２は紙幣収納部（収納部）であり、フロント板２ａとこれに対向して設けられたリア板２ｂ、フロント板２ａとリア板２ｂの側方に設けられた一対の側面板２ｃおよび下方に設けられた図示しない昇降機構により昇降可能なステージ３からなる筐体であって、ステージ３に媒体としての紙幣を集積して収納する。
【００１０】
４はフィードローラであり、リア板２ｂが設けられた側である紙幣収納部２の出入口の近傍に配置され、図示しないフィードローラシャフトに所定の間隔で設されてそのフィードローラシャフトを中心に正逆可能に回転し、外周面にはその一部に紙幣の搬送のために充分な摩擦力を有するゴム等の高摩擦部材が取付けられると共に、円周方向全域にわたるリング状の溝部が２本並設されている。
【００１１】
７は従動ローラであり、フィードローラ４に対向配置されてその外周面には円周方向にリング状の溝部が１本設けられ、対向するフィードローラ４の溝部と凸部とに非接触状態でかみ合うように配置される。
また、従動ローラ７は図示しないワンウェイクラッチが設けられていて紙幣を紙幣収納部２に搬送する集積方向にのみ回転可能となっており、反集積方向のときは停止する。
【００１２】
１０はアーム部であり、くの字状に折れ曲げられてその屈曲する中央部分が回転軸１１によって回転可能に支持されると共に、一端部に舌片ローラ１５を取り付け、他端部がクランク機構１２に接続されている。
【００１３】
クランク機構１２は、モータ１２ａによって回転する回転体１３と、一端が回転体１３に接続して他端がアーム部１０に接続しているリンク１４により構成され、回転体１３の回転に連動してリンク１４が上下方向に往復移動する。
【００１４】
舌片ローラ１５は、ハブ部１５ａと、そのハブ部１５ａの外周に等間隔に設けられる複数の舌片１６によって形成される。
舌片１６は、天然ゴムや合成ゴム等の弾性材料により形成されている。
【００１５】
アーム部１０は、その他端部がクランク機構１２のリンク１４に接続されていることから、クランク機構１２の回転体１３が回転してリンク１４の上下動に合わせて、回転軸１１を中心に回動する。
【００１６】
そのため、リンク１４が上昇する方向にアーム部１０が回動、つまりアーム部１０の他端部が持ち上がって一端部が下降する方向に回動すると、アーム部１０の一端部に取付けられている舌片ローラ１５が下降する。
また、リンク１４が下降する方向にアーム部１０が回動、つまりアーム部１０の他端部が下降して一端部が持ち上がる方向に回動した場合、舌片ローラ１５が上昇する。
【００１７】
舌片ローラ１５は、ハブ部１５ａがフィードローラ４に当接する位置まで上昇し、下降したときは舌片１６が紙幣収納部２内から退避し、かつ後述の搬送路２１から退避した箇所に位置する。
そのため、舌片ローラ１５は、ハブ部１５ａがフィードローラ４に当接したときに、フィードローラ４に従動するように回転する。
【００１８】
なお、舌片ローラ１５の位置は、紙幣の集積および分離動作に応じて決まり、紙幣収納部２から紙幣を繰出す際舌片ローラ１５を下降させ、紙幣収納部２に紙幣を集積する際舌片ローラ１５を上昇させるようにしている。
さらに、舌片１６は、舌片ローラ１５が最上位まで上昇したときに、紙幣収納部２内に集積されている紙幣のフィードローラ４に近い側の端部を叩くのに十分な長さとなっている。
【００１９】
そのため、紙幣収納部２の出入口に設けられたリア板２ｂには、最上位まで上昇した舌片ローラ１５の舌片１６が紙幣収納部２内に入り込むのを妨げないための切欠きが設けられている。
これによって、紙幣を集積させる動作時に、舌片１６は、ステージ３上に放出された紙幣の表面を叩くと共に、集積している紙幣上面を押さえつけるように作用する。
【００２０】
２０はピックアップローラであり、フィードローラ４よりも集積方向の下流側に所定の間隔で配置され、その外周の一部に紙幣の搬送のために充分な摩擦力を有した高摩擦部材が取付けられており、ベルト等によってフィードローラ４と連動して回転する。
【００２１】
２１は搬送路であり、対向配置されたベルトあるいはローラ等によって構成され、紙幣を狭持して搬送する。
２２は紙幣走行センサであり、例えば光学式のセンサであって紙幣の重送や、複数枚の紙幣が連なるように重なってしまう連鎖等の各種紙幣の搬送異常の状態を検出するために、搬送路２１を通過する紙幣を検知するセンサである。
【００２２】
２３は上面センサであり、紙幣収納部２内に集積されている最上位の紙幣を検知するセンサである。
２４は検知センサであり、例えば光学式のセンサであってフィードローラ４と従動ローラ７との間から繰出され、ステージ３に落下する紙幣を検知する。
【００２３】
図２は実施例１の紙幣分離集積装置を示すブロック図である。
図２において、３０は制御部であり、記憶部３１に記憶された制御プログラムに従って、各部を制御して紙幣の分離および集積に関する処理を遂行する。
【００２４】
３１は記憶部であり、制御プログラムを格納し、制御部３０による処理結果等を記憶する。また記憶部３１は紙幣走行センサ２２が検知する紙幣が搬送異常の状態であるか否かを判断する情報として、１枚の紙幣が紙幣走行センサ２２に検知されてから通過するまでの基準時間を記憶している。
【００２５】
上述した構成の作用について説明する。
ここで、図３は実施例１の紙幣の繰出しから再集積を行う動作を示す説明図であり、（ａ）は紙幣を繰出している様子、（ｂ）はステージを集積ポジションに移動させた様子、（ｃ）は集積動作を停止させたときの様子、（ｄ）は舌片ローラを下降させた様子、（ｅ）は舌片ローラを上昇させた様子を示している。
【００２６】
紙幣収納部２に収納した紙幣を繰出す場合、制御部３０は、ステージ３上の紙幣がピックアップローラ２０に当接する位置までステージ３を上昇させ、ピックアップローラ２０とフィードローラ４とを図３（ａ）で示す時計回りに回転させることで、紙幣をフィードローラ４と従動ローラ７との間に繰出していく。
制御部３０は、フィードローラ４と従動ローラ７とを回転させることによって繰出されてきた紙幣を搬送路２１へと送り出していく。
【００２７】
制御部３０は、搬送路２１に送り出された紙幣を紙幣走行センサ２２によって検知し、紙幣を検知し始めてから、所定時間以上紙幣を検知し続けているか否かを判断することで、紙幣が重送や連鎖等の搬送異常の状態となっているか否かを判断し、搬送異常が無ければ通常通りに紙幣を搬送していく。
なお、本実施例では、紙幣が紙幣走行センサ２２を通過した時点で、後続に２枚の紙幣がステージ３上から繰出されているものとする。
【００２８】
ここで、紙幣が連鎖の状態となっていて、制御部３０が紙幣の搬送異常の発生を判断した場合、ピックアップローラ２０とフィードローラ４の回転を停止する。このとき既に紙幣走行センサ２２を通過した紙幣についてはそのまま図示しない先のユニットへと搬送する。
制御部３０は、搬送異常発生の原因となっている紙幣を一旦紙幣収納部２に戻すための戻し処理を開始する。
【００２９】
制御部３０は、図３（ｂ）に示すようにステージを下降させ、舌片ローラ１５を最上位まで上昇するようにクランク機構１２を動作させ、フィードローラ４を反時計回りに回転させることで、既に繰出されている後続する２枚の紙幣を一旦紙幣収納部２に戻す方向に搬送する。
このとき、制御部３０は、検知センサ２４によって紙幣間の隙間を検知したとき、つまり図３（ｃ）に示すように後続の紙幣の内、１枚の紙幣だけを紙幣収納部２内に落下させたとき、フィードローラ４の回転を停止させる。
【００３０】
制御部３０は、図３（ｄ）に示すように舌片ローラ１５を下降させるようにクランク機構１２を動作させる。
これによって、舌片１６が紙幣収納部２内から退避するように舌片ローラ１５が移動するので、紙幣が舌片１６に引っ掛かってステージ３上に落下していなかった場合でも、舌片ローラ１５が退避するのでそこに引っ掛かっていた紙幣はステージ３上に落下して集積される。
【００３１】
制御部３０は、舌片ローラ１５を下降させた後、図３（ｅ）に示すようにクランク機構１２を動作させて舌片ローラ１５を最上位まで上昇させ、フィードローラ４を反時計回りに回転させて従動ローラ７との間で狭持している紙幣を紙幣収納部２のステージ３上に放出して集積する。
紙幣を集積した後、制御部３０は舌片ローラ１５を下降させると共に、ステージ３を上昇させてピックアップローラ２０を回転させ、紙幣の繰出しを再開する。
【００３２】
以上説明したように、本実施例では、重送や連鎖等の搬送異常が原因で一度繰出した紙幣を紙幣収納部に戻す場合、検知センサによって紙幣が紙幣収納部に落下したことを確認してから、フィードローラの回転を停止させて舌片が紙幣収納部内から退避するように舌片ローラを下降させることで紙幣を確実にステージ上に落下させ、再び舌片ローラを上昇させフィードローラを回転させるようにし、紙幣を１枚ずつ紙幣収納部に落下させるので、紙幣収納部から繰出した紙幣が連鎖や重送の状態となり、繰出した紙幣を紙幣収納部に戻したときに紙幣同士が衝突するのを防止し、収納した紙幣を繰出す際の繰出し不良の発生を防止することができる。
【実施例２】
【００３３】
本実施例は、上記実施例１に対して検知センサを取り除いている点でその構成が異なる。
さらに、上記実施例１では検知センサによる検知結果を用いて紙幣が落下したことを確認し、舌片ローラ１５の下降、上昇を行うことで、繰出した紙幣が連鎖や重送の状態であるために繰出した紙幣を紙幣収納部に戻した際に紙幣同士が衝突するのを防止するようにしたのに対し、本実施例の紙幣分離集積機構は検知センサを用いること無く確実に紙幣同士の衝突を防止するものである。
【００３４】
本実施例における構成の作用について説明する。
なお、上記実施例１と同様の部分は同一の符号を付してその説明を省略する。
制御部３０は、紙幣走行センサ２２の検知結果によって重送や連鎖の状態で紙幣を繰出したことを判断した場合、フィードローラ４の回転を停止させて戻し処理を開始する。
【００３５】
ここで、図４は実施例２の搬送異常の原因となる紙幣を集積するまでの動作を示す説明図であり、（ａ）は紙幣を繰出している様子、（ｂ）はステージを集積ポジションに移動させた様子、（ｃ）はｎ回の紙幣搬送後の様子、（ｄ）はｎ回の紙幣搬送後の舌片ローラを下降させた様子、（ｅ）全ての紙幣が落下した様子を示している。
【００３６】
制御部３０は、図４（ａ）に示すように、紙幣を繰出すときは、ステージ３を上昇させて集積している紙幣をピックアップローラ２０に押し付けると共に、ピックアップローラ２０を回転させてフィードローラ４と従動ローラ７との間に繰出していく。
【００３７】
制御部３０は、フィードローラ４と従動ローラ７とを回転させることによって繰出されてきた紙幣を搬送路２１へと送り出し、搬送路２１に送り出された紙幣を紙幣走行センサ２２によって検知し、紙幣を検知し始めてから、所定時間以上紙幣を検知し続けているか否かを判断することで、紙幣が重送や連鎖等の搬送異常の状態となっていないか否かを判断する。
【００３８】
制御部３０が紙幣の搬送異常の発生を判断した場合、ピックアップローラ２０とフィードローラ４の回転を停止する。このとき既に紙幣走行センサ２２を通過した紙幣についてはそのまま図示しない先のユニットへと搬送する。
制御部３０は、戻し処理を行うために、図４（ｂ）に示すように舌片ローラ１５を上昇させてフィードローラ４の回転方向を逆転させることで紙幣を紙幣収納部２側へと搬送する。
【００３９】
なお、このとき紙幣が重送や連鎖等、複数枚重なった状態であるので紙幣収納部２に搬送する際に紙幣同士が衝突してしまうことを防止するため、紙幣を一気に搬送していくのではなく、例えば紙幣走行センサ２２から紙幣収納部２の出入口までの長さを基準にした所定の割合に基づく距離だけ、少しずつ紙幣を移動させるようにしている。
【００４０】
そのため、記憶部３１には戻し処理における紙幣の一回の搬送量と、その搬送量をもとに決まる全ての紙幣を確実に紙幣収納部２まで搬送するのに必要な搬送回数とを記憶している。
さらに、制御部３０は、前記距離分だけ紙幣を搬送した後、上記実施例１と同様に舌片ローラ１５を下降して上昇させるようにし、このような紙幣の搬送及び舌片ローラ１５の下降、上昇からなる一連の動作を複数回繰り返すことで、紙幣を少しずつ紙幣収納部２に搬送していく。
【００４１】
そのため、一連の動作を、とある回数（ｎ回とする。）行ったことで図４（ｃ）に示すように、戻し処理において先行して紙幣収納部２に搬送された紙幣のみが落下し、後続の紙幣はフィードローラ４と従動ローラ７とに狭持された状態で残る。
【００４２】
さらに先に紙幣収納部２内に落下した紙幣が舌片１６に引っ掛かっていても、図４（ｄ）に示すように制御部３０は、舌片ローラ１５を下降させて退避させることで確実にステージ３上に落下させて集積させることができる。
そして、このあと舌片ローラ１５を上昇させて、収納された紙幣の端部を舌片１６によって叩きながら、押さえつけることができる。
【００４３】
制御部３０は、前記一連の動作を記憶部３１に記憶されている搬送回数行った後、もう一度舌片ローラ１５を上昇させ、フィードローラ４を図４（ｅ）に示すように反時計回りに回転させることで、舌片１６でステージ３上の紙幣上面を押さえつけるようにする。
紙幣を集積した後、制御部３０は舌片ローラ１５を下降させると共に、ステージ３を上昇させてピックアップローラ２０を回転させ、紙幣の繰出しを再開する。
【００４４】
以上説明したように、本実施例は上記実施例１の効果に加えて、検知センサを取り除いたことにより紙幣分離集積機構の製作コストを削減することができるという効果を得ることができる。
【符号の説明】
【００４５】
１    紙幣分離集積装置
２    紙幣収納部
２ａ  フロント板
２ｂ  リア板
２ｃ  側面板
３    ステージ
４    フィードローラ
７    従動ローラ
１０  アーム部
１２  クランク機構
１２ａ  モータ
１３  回転体
１４  リンク
１５  舌片ローラ
１５ａ  ハブ部
１６  舌片
２０  ピックアップローラ
２１  搬送路
２２  紙幣走行センサ
２３  上面センサ
２４  検知センサ
【図１】
0005408078.tif 000002
【図２】
0005408078.tif 000003
【図３】
0005408078.tif 000004
【図４】
0005408078.tif 000005